(57)【要約】【課題】有機よう素を簡易な構造で効率的に捕集可能な有機よう素捕集装置を提供する。【解決手段】有機よう素を捕集する有機よう素捕集装置１００であって、有機よう素を含む流体が通される容器１を備え、容器１内に、有機よう素を溶解する第１液体Ｌ１０（例；イオン液体、界面活性剤溶液等）と、有機よう素を分解する第２液体Ｌ２０（例；イオン液体、界面活性剤溶液等）と、が保持される有機よう素捕集装置を用いる。【選択図】図１
2020008517.tif 000002
【特許請求の範囲】
【請求項１】
有機よう素を捕集する有機よう素捕集装置であって、
有機よう素を含む流体が通される容器を備え、
前記容器内に、有機よう素を溶解する第１液体と、有機よう素を分解する第２液体と、が保持される有機よう素捕集装置。
【請求項２】
請求項１に記載の有機よう素捕集装置において、
前記第１液体と前記第２液体は、互いに相分離する液体の組み合わせからなる有機よう素捕集装置。
【請求項３】
請求項２に記載の有機よう素捕集装置において、
前記第１液体は、親水性物質からなる液体、又は、親水性物質を水に溶解させた水溶液であり、
前記第２液体は、疎水性物質からなる液体である有機よう素捕集装置。
【請求項４】
請求項２に記載の有機よう素捕集装置において、
前記第１液体は、疎水性物質からなる液体であり、
前記第２液体は、前記第１液体とは比重が異なる疎水性物質からなる液体である有機よう素捕集装置。
【請求項５】
請求項１に記載の有機よう素捕集装置において、
前記第１液体及び前記第２液体のうち、少なくとも一方は、互いに相分離する複数の液体の組み合わせからなる有機よう素捕集装置。
【請求項６】
請求項５に記載の有機よう素捕集装置において、
前記第１液体は、親水性物質からなる液体と疎水性物質からなる液体との組み合わせ、又は、親水性物質を水に溶解させた水溶液と疎水性物質からなる液体との組み合わせであり、
前記第２液体は、前記第１液体とは比重が異なる疎水性物質からなる液体である有機よう素捕集装置。
【請求項７】
請求項５に記載の有機よう素捕集装置において、
前記第１液体は、親水性物質からなる液体、又は、親水性物質を水に溶解させた水溶液であり、
前記第２液体は、互いに比重が異なる疎水性物質からなる液体の組み合わせである有機よう素捕集装置。
【請求項８】
請求項１から請求項７のいずれか一項に記載の有機よう素捕集装置において、
前記容器内に保持される液体は、相分離により形成される最上層が前記第２液体である有機よう素捕集装置。
【請求項９】
請求項１から請求項７のいずれか一項に記載の有機よう素捕集装置において、
前記第１液体及び前記第２液体が、イオン液体、又は、界面活性剤溶液である有機よう素捕集装置。
【請求項１０】
請求項１から請求項７のいずれか一項に記載の有機よう素捕集装置において、
液体を貯蔵するための保管容器と、
前記保管容器と前記容器との間を接続する注入管と、を更に備え、
前記第１液体及び前記第２液体は、前記流体が前記容器に通されるとき、前記保管容器から前記容器内に注入されて保持される有機よう素捕集装置。
【請求項１１】
請求項１から請求項７のいずれか一項に記載の有機よう素捕集装置において、
前記流体は、原子炉内で発生した蒸気であり、
前記容器は、放射性物質を除去するためのフィルタベント容器である有機よう素捕集装置。
【請求項１２】
請求項１から請求項７のいずれか一項に記載の有機よう素捕集装置において、
前記流体は、原子炉内で発生した蒸気であり、
前記容器は、原子炉のウェットウェルである有機よう素捕集装置。
【発明の詳細な説明】
【技術分野】
【０００１】
本発明は、原子炉から放出される放射性有機よう素をはじめ、蒸気等の流体中に含まれる有機よう素を捕集する有機よう素捕集装置に関する。
【背景技術】
【０００２】
原子炉施設には、原子炉から放出された放射性物質が環境中に漏洩するのを防止するために、フィルタベント装置が設置されている。原子炉の事故で炉心が損傷したり、格納容器内の圧力が異常上昇したりすると、格納容器が破損して大規模漏洩に至るため、格納容器内の蒸気が未然にベントされる。高温・高圧の蒸気は、原子炉から格納容器内に放出されると、フィルタベント装置に通され、大気中に放出される前に主要な放射性物質を除去される。
【０００３】
原子炉の事故時に発生する放射性物質としては、希ガス、エアロゾル、無機よう素、有機よう素等がある。フィルタベント装置によると、希ガスを除くこれらの放射性物質が容器内に捕集され、環境への放出が防止される。一般に、フィルタベント装置は、特許文献１に記載されるように、湿式フィルタとしての水（スクラビング水）を容器内に保持している。また、乾式フィルタとしての金属フィルタを容器内に内蔵している。
【０００４】
スクラビング水は、チオ硫酸ナトリウムと水酸化ナトリウム等を溶解した水溶液であり、ベントされた蒸気は、スクラビング水中に放出される。チオ硫酸ナトリウムとの反応でイオン化した無機よう素（元素状よう素）や、エアロゾルを形成する親水性の粒子は、スクラビング水に溶解することで捕集される。また、気相に放出されたエアロゾルは、金属フィルタに付着・衝突して捕集される。有機よう素は、特許文献２に記載されるように、銀ゼオライトや活性炭等の乾式フィルタで捕集されている。
【先行技術文献】
【特許文献】
【０００５】
【特許文献１】特表２０１５−５２２１６１号公報
【特許文献２】特開平７−２０９４８８号公報
【発明の概要】
【発明が解決しようとする課題】
【０００６】
原子炉から放出される有機よう素は、よう化メチルをはじめとして、水に難溶であり、ベント時に圧力抑制室のプール水やスクラビング水に導入されても、十分には溶解しない。また、よう化メチル等の有機よう素は、原子炉からの排気過程で、元素状よう素の反応によって新生することもある。これらの理由で有機よう素は漏洩を阻止するのが難しい放射性物質となるため、有機よう素を高い捕集効率で捕集できるフィルタベント装置が求められている。
【０００７】
有機よう素を捕集するための捕集材としては、銀ゼオライトや活性炭が知られている（特許文献２参照）。しかし、これらの捕集材は、水分が付着した場合に捕集効率が低下するため、特許文献２のように湿分を除去する機構を必要とし、フィルタベント装置の装置構造を複雑化させる。また、これらの捕集材は大量に必要なため、特許文献２のように、特別な装置設計や複雑な装置構造を要したり、捕集材自体のコストが嵩んだりすることも課題となる。
【０００８】
そこで、本発明は、有機よう素を簡易な構造で効率的に捕集可能な有機よう素捕集装置を提供することを目的とする。
【０００９】
前記課題を解決するために本発明に係る有機よう素捕集装置は、有機よう素を含む流体が通される容器を備え、前記容器内に、有機よう素を溶解する第１液体と、有機よう素を分解する第２液体と、が保持される。
【発明の効果】
【００１０】
本発明によると、有機よう素を簡易な構造で効率的に捕集可能な有機よう素捕集装置を提供することができる。
【図面の簡単な説明】
【００１１】
【図１】本発明に係る有機よう素捕集装置の一例を模式的に示す断面図である。
【図２】本発明に係る有機よう素捕集装置の一例を模式的に示す断面図である。
【図３】本発明に係る有機よう素捕集装置の一例を模式的に示す断面図である。
【図４】本発明に係る有機よう素捕集装置の一例を模式的に示す断面図である。
【図５】本発明に係る有機よう素捕集装置の一例を模式的に示す断面図である。
【図６】本発明に係る有機よう素捕集装置の一例を模式的に示す断面図である。
【図７】本発明に係る有機よう素捕集装置の一例を模式的に示す断面図である。
【発明を実施するための形態】
【００１２】
以下、本発明の一実施形態に係る有機よう素捕集装置について、図を参照しながら説明する。なお、以下の各図において共通する構成については同一の符号を付して重複した説明を省略する。
【００１３】
本実施形態に係る有機よう素捕集装置は、有機よう素を含むガス（流体）が通される容器を備える。容器内には、有機よう素を溶解する溶解用液体（第１液体）と、有機よう素を分解する分解用液体（第２液体）と、が少なくとも保持される。この有機よう素捕集装置は、ガス中の有機よう素や、有機よう素を分解して解離させたよう素イオンを、溶解用液体と分解用液体とを湿式フィルタとして用いて容器内に捕集する。
【００１４】
溶解用液体（第１液体）としては、有機よう素を易溶するイオン液体、界面活性剤溶液、これらの混合液等を用いることができる。有機よう素は、水やスクラビング水に難溶である。また、銀ゼオライト、活性炭等の捕集材は、容積当たりの捕集効率が低く、大量に必要であり、水分の混入によっても捕集効率が低下する。これに対し、イオン液体等の溶解用液体に、有機よう素を含むガスを通すと、有機よう素が容易に溶解し、有機よう素が液相から揮発し難くなるため、高い捕集効率で捕集することができる。
【００１５】
分解用液体（第２液体）としては、有機よう素を分解する作用を示すイオン液体、界面活性剤溶液、これらの混合液等を用いることができる。このような作用を示す分解用液体としては、一般的な化学薬品としてルイス酸性が強い液体が挙げられる。このような液体は、通常、有極性の非水系液体であり、有機よう素を易溶する作用も有している。このような分解用液体に、有機よう素を含むガスを通すと、有機よう素が分解してよう素イオンとして解離する。よう素イオンは、有機よう素と比較して、液相中でより安定なため、溶解による捕集効率を高めることができる。
【００１６】
溶解用液体や分解用液体としては、特に、イオン液体が好ましく用いられる。原子炉の事故時には、フィルタベント装置に１６０℃前後の高温の蒸気が流入すると想定されている。イオン液体によると、１６０℃以下で実質的に揮発しない不揮発性、１６０℃前後の高温に耐える耐熱性、高い耐放射線性、高い化学的安定性、高い電気的安定性等が得られる。また、極性分子や非極性分子との相溶性の制御や、液体同士の比重の制御を、多種多様なイオンの組み合わせに基づいて容易に行うことができる。
【００１７】
イオン液体を構成するカチオンとしては、例えば、イミダゾリウム、ピリジニウム、アンモニウム、ホスホニウム、スルホニウム、ピロリジニウム、ピぺリジニウム等の有機カチオンが挙げられる。
【００１８】
また、イオン液体を構成するアニオンとしては、例えば、ハロゲン、テトラフルオロボレート、ヘキサフルオロホスフェート等の無機アニオンや、アセテート、スルホネート、イミデート等の有機アニオンが挙げられる。アニオンとしては、熱分解や加水分解を起こし難い点、併用されることがあるスクラビング水のｐＨを変化させ難い点等から、ハロゲン、イミデート又はテトラフルオロボレートがより好ましい。
【００１９】
溶解用液体として用いるイオン液体としては、特に、ルイス酸性が強いカチオンとルイス塩基性が強いアニオンとの組み合わせからなる種類が好ましい。このようなイオン液体を溶解用液体として用いると、有機よう素の溶解度がより高くなると共に、有機よう素が液相中の相互作用でより安定になる。そのため、溶解による捕集効率をより高めて、揮発による環境への放出を阻止することができる。
【００２０】
分解用液体として用いるイオン液体としては、一般的な化学薬品としてルイス酸性が強い有機カチオンで構成される種類が特に好ましい。このようなイオン液体としては、ホスホニウム、アンモニウム、ピロリジニウム、ピぺリジニウム等の有機カチオンで構成される種類が挙げられる。有機カチオンは、鎖状の炭素鎖を有する種類や、環状の炭素鎖を有する種類等のいずれであってもよいが、炭素数が６以上の炭素鎖を有する種類が好ましい。このようなイオン液体を分解用液体として用いると、分解の反応速度がより高くなる。そのため、分解用液体に接触した有機よう素を確実にイオン化して液相に溶解させることができる。
【００２１】
溶解用液体及び分解用液体のそれぞれは、１５〜２５℃の常温、且つ、大気圧と同等の常圧下において互いに相分離する液体の組み合わせで構成されることが好ましい。このような組み合わせであると、溶解用液体と分解用液体とが二相に分かれて容器内に保持される。そのため、単一相として存在する分解用液体が、有機よう素を高い反応速度（反応率）で分解することができる。溶解用液体及び分解用液体のそれぞれは、１６０℃以上の高温、且つ、大気圧を超える高圧下においても互いに相分離することがより好ましい。
【００２２】
以下、有機よう素捕集装置を原子炉施設に適用し、原子炉で発生した有機よう素を捕集する形態について説明する。
【００２３】
図１は、本発明に係る有機よう素捕集装置の一例を模式的に示す断面図である。
図１には、有機よう素捕集装置を原子炉施設のフィルタベント装置に適用し、原子炉から放出された蒸気（流体）に含まれる有機よう素をフィルタベント容器に捕集する例を示す。
【００２４】
図１に示すように、本実施形態に係るフィルタベント装置（有機よう素捕集装置）１００は、フィルタベント容器１と、入口配管７と、金属フィルタ８と、出口配管９と、排気筒１０と、を備えている。フィルタベント装置１００は、ドライウェルベント配管３、ウェットウェルベント配管４と入口配管７を介して、原子炉格納容器２と管路で接続されている。
【００２５】
原子炉格納容器２は、原子炉圧力容器が収納されたドライウェル２１と、圧力抑制プールが形成されたウェットウェル２２と、を有している。ウェットウェル２２は、ドライウェル２１中の蒸気や、主蒸気系から過圧で逃された蒸気が、不図示のベント管を介して流入するようになっている。
【００２６】
ドライウェル２１には、ドライウェル２１のガスのベントに使用するドライウェルベント配管３の一端が接続している。ドライウェルベント配管３には、常閉型の隔離弁５が設けられている。ドライウェルベント配管３の他端は、入口配管７に接続している。
【００２７】
また、ウェットウェル２２には、ウェットウェル２２のガスのベントに使用するウェットウェルベント配管４の一端が接続している。ウェットウェルベント配管４には、常閉型の隔離弁６が設けられている。ウェットウェルベント配管４の他端は、入口配管７に接続している。
【００２８】
入口配管７は、一端が、ドライウェルベント配管３とウェットウェル配管４に接続しており、他端が、フィルタベント容器１内の底部付近まで延びている。入口配管７の他端には、例えば、多連のベンチュリノズル等で形成される不図示のスクラバノズルが取り付けられる。スクラバノズルは、原子炉の事故時、原子炉格納容器２内に放出された高温・高圧の蒸気を、フィルタベント容器１に保持される液体中に噴出させる。
【００２９】
図１に示すフィルタベント容器１の容器内には、親水性の溶解用液体（第１液体）Ｌ１０と、疎水性の分解用液体（第２液体）Ｌ２０と、が保持されている。溶解用液体Ｌ１０及び分解用液体Ｌ２０は、入口配管７の先端が冠水する高さ、且つ、容器内の上部に気相が残る高さまでフィルタベント容器１に注入されている。
【００３０】
溶解用液体Ｌ１０と分解用液体Ｌ２０とは、互いに混じらずに、フィルタベント容器１内に多層液体（Ｌ１０，Ｌ２０）を形成している。親水性の溶解用液体Ｌ１０は、下層を形成し、疎水性の分解用液体Ｌ２０は、上層を形成している。多層液体（Ｌ１０，Ｌ２０）は、液体同士の相分離により形成される最上層が分解用液体Ｌ２０である。
【００３１】
溶解用液体Ｌ１０としては、分解用液体Ｌ２０よりも比重が大きい液体であって、親水性物質からなる液体、又は、親水性物質を水に溶解させた水溶液を用いることができる。液体の親水性物質としては、親水性（易水溶性）であり、常温・常圧下において液体であるイオン液体、界面活性剤溶液等を用いることができる。液体の親水性物質は、脱塩水、スクラビング水等に溶解させて用いてもよい。
【００３２】
水に溶解させる親水性物質としては、親水性（易水溶性）であり、常温・常圧下において固体であるイオン液体、界面活性剤等を用いることができる。親水性物質を溶解させる水としては、脱塩水、スクラビング水等が挙げられる。スクラビング水は、水にチオ硫酸ナトリウムと水酸化ナトリウム等のアルカリとを溶解させて得られる。
【００３３】
溶解用液体Ｌ１０の具体例としては、常温・常圧下において液体である１−ブチル−３−メチルイミダゾリウムヨージドや、常温・常圧下において液体である１−ブチル−３−メチルイミダゾリウムテトラフルオロほう酸塩や、常温・常圧下において固体（融点：約４０℃）である１−ドデシル−３−メチルイミダゾリウムヨージド等が挙げられる。
【００３４】
分解用液体Ｌ２０としては、溶解用液体Ｌ１０よりも比重が小さい液体であって、疎水性物質からなる液体を用いることができる。疎水性物質としては、疎水性（難水溶性）であり、常温・常圧下において液体であるイオン液体、界面活性剤溶液等を用いることができる。疎水性物質としては、特に、イオン液体が好ましい。
【００３５】
分解用液体Ｌ２０の具体例としては、トリヘキシル（テトラデシル）ホスホニウムクロリドや、トリヘキシル（テトラデシル）ホスホニウムジシアナミド等が挙げられる。
【００３６】
フィルタベント容器１は、液体中に噴出させた高温・高圧のガス（蒸気）に対して抵抗を及ぼす不図示のバッフルを備えてもよい。バッフルとしては、例えば、オリフィス状の邪魔板や、螺旋板や、金属メッシュ、パンチングメタル等の多孔板や、セラミック等の多孔質体等を容器内に設けることができる。バッフルは、容器内に保持される液体のうち、少なくとも上層が位置する高さに設けることが好ましい。
【００３７】
フィルタベント容器１に流入する有機よう素は、ガス状であると推定されるが、ガス状の有機よう素の溶解及び分解は、気泡内での拡散泳動、熱泳動、ブラウン拡散、対流等で進行すると考えられる。フィルタベント容器１内にバッフルを設けると、液体中に噴出させた気泡の滞留時間が長くなり、有機よう素と液体との接触時間が長くなるため、有機よう素の捕集効率をより高めることができる。
【００３８】
図１に示すように、フィルタベント容器１は、容器内の上部に金属フィルタ８を備えている。金属フィルタ８は、金属繊維、金属メッシュ等が積層されて形成される。金属フィルタ８によると、容器内の気相に放出されたエアロゾルが、金属への付着、衝突等によって捕集される。
【００３９】
出口配管９は、一端が、金属フィルタ８の二次側に接続しており、他端が、排気筒１０に接続している。排気筒１０は、フィルタベント容器１に通されて放射性物質が除去されたガスを環境中に放出するために備えられる。
【００４０】
次に、フィルタベント装置１００を用いた有機よう素の捕集方法について具体的に説明する。
【００４１】
原子炉において、圧力容器が破損するような重大事故が発生したとき、格納容器内には、冷却水等の蒸発による高温・高圧の蒸気と共に、種々の放射性物質が放出される。原子炉の出力や事故のシナリオにもよるが、格納容器が破損する過酷事故時には、約１ｋｇ程度の放射性有機よう素が放出されると試算されている。有機よう素の主成分としては、揮発性を有するよう化メチル（ＣＨ３Ｉ）が想定されている。
【００４２】
原子炉に重大事故が発生し、格納容器内の圧力が過度に高くなると、格納容器が破損し、放射性物質の大規模漏洩が生じる。そのため、このような事象を防ぐ措置として、ベントが実施される。図１に示す原子炉格納容器２で、ベントが必要であると判断されると、隔離弁５，６が開放される。
【００４３】
隔離弁５が開放されると、ドライウェル２１に放出された放射性物質や高温・高圧の蒸気は、ドライウェルベント配管３と入口配管７を通じて、フィルタベント容器１に流入する。また、隔離弁６が開放されると、ウェットウェル２２に流入した放射性物質や高温・高圧の蒸気は、ウェットウェルベント配管４と入口配管７を通じて、フィルタベント容器１に流入する。そして、放射性物質を含む蒸気は、フィルタベント容器１内に噴出し、下層側の溶解用液体Ｌ１０に導入される。
【００４４】
フィルタベント容器１では、蒸気に含まれる放射性物質のうち、親水性のエアロゾル、無機よう素、有機よう素は、親水性の溶解用液体Ｌ１０に溶解して捕集される。そして、溶解した有機よう素は、分解用液体Ｌ２０に接触すると、よう素イオンと有機物とに分解される。解離したよう素イオンは、溶解用液体Ｌ１０等に溶解して捕集される。捕集されず気相に放出されたエアロゾルは、金属フィルタ８に捕集される。その後、放射性物質が除去されたガスは、排気筒１０を通じて環境中に放出される。
【００４５】
以上のフィルタベント装置１００によると、親水性の溶解用液体Ｌ１０で、親水性のエアロゾル、無機よう素、有機よう素を溶解させて捕集することができる。そして、微粒子や異分子等から遊離した有機よう素を、分解用液体Ｌ２０と良好な反応率で反応させることができる。有機よう素が揮発性であるのに対し、よう素イオンは有極性の液相中で安定であるところ、多層液体（Ｌ１０，Ｌ２０）の最上層が分解用液体Ｌ２０であり、最上層の分解用液体Ｌ２０が効率的に有機よう素をイオン化するため、有機よう素の揮発を阻止しながら、よう素イオンのかたちで確実に捕集することができる。また、捕集を行うにあたって、一般的なフィルタベント容器を利用することが可能であり、大容量の捕集材・乾式フィルタや、特別な装置設計・装置構造を必要としない。したがって、有機よう素を簡易な構造で効率的に捕集することができる。
【００４６】
また、以上のフィルタベント装置１００によると、親水性の溶解用液体Ｌ１０と疎水性の分解用液体Ｌ２０とが併用されるため、親水性の溶解用液体Ｌ１０で、親水性であることが多いエアロゾルの大半を溶解して捕集し、疎水性の分解用液体Ｌ２０で、疎水性のエアロゾルを凝集させて捕集することができる。また、親水性の溶解用液体Ｌ１０を使用するため、原子炉冷却水の水蒸気に含まれる放射性物質を容易に液相に捕捉することができる。
【００４７】
また、以上のフィルタベント装置１００においては、溶解用液体Ｌ１０や分解用液体Ｌ２０として、アニオンが非放射性のよう素イオンであるイオン液体を用いることで、放射性物質の漏洩を更に抑制することができる。非放射性のよう素イオンであれば、捕集後に、よう素イオンが元素状よう素を生成したとしても、放射性の元素状よう素になる確率が低くなる。そのため、元素状よう素の揮発による放射性物質の漏洩を更に抑制することができる。
【００４８】
図２は、本発明に係る有機よう素捕集装置の一例を模式的に示す断面図である。
図２には、有機よう素捕集装置を原子炉施設のフィルタベント装置に適用し、原子炉から放出された蒸気（流体）に含まれる有機よう素をフィルタベント容器に捕集する例を示す。
【００４９】
図２に示すように、本実施形態に係るフィルタベント装置（有機よう素捕集装置）２００は、フィルタベント容器１と、入口配管７と、金属フィルタ８と、出口配管９と、排気筒１０と、を備えている。フィルタベント装置２００の構成は、フィルタベント容器１に保持される液体の種類を除いて、フィルタベント装置１００と同様である。
【００５０】
図２に示すフィルタベント容器１の容器内には、疎水性の溶解用液体（第１液体）Ｌ１１と、疎水性の分解用液体（第２液体）Ｌ２０と、が保持されている。
【００５１】
溶解用液体Ｌ１１と分解用液体Ｌ２０とは、互いに混じらずに、フィルタベント容器１内に多層液体（Ｌ１１，Ｌ２０）を形成している。疎水性の溶解用液体Ｌ１１は、下層を形成し、疎水性の分解用液体Ｌ２０は、上層を形成している。多層液体（Ｌ１１，Ｌ２０）は、液体同士の相分離により形成される最上層が分解用液体Ｌ２０である。
【００５２】
溶解用液体Ｌ１１としては、分解用液体Ｌ２０よりも比重が大きい液体であって、疎水性物質からなる液体を用いることができる。疎水性物質としては、疎水性（難水溶性）であり、常温・常圧下において液体であるイオン液体、界面活性剤溶液等を用いることができる。疎水性物質としては、特に、イオン液体が好ましい。
【００５３】
溶解用液体Ｌ１１の具体例としては、１−ブチル−３−メチルイミダゾリウムビス（トリフルオロメチルスルホニル）イミド、１−メチル−１−プロピルピロリジニウムビス（トリフルオロメチルスルホニル）イミド等が挙げられる。
【００５４】
分解用液体Ｌ２０としては、溶解用液体Ｌ１１よりも比重が小さい液体であって、疎水性物質からなる液体を用いることができる。疎水性物質としては、有機よう素を分解する作用を有し、疎水性（難水溶性）であり、常温・常圧下において液体であるイオン液体、界面活性剤溶液等を用いることができる。疎水性物質としては、特に、イオン液体が好ましい。分解用液体Ｌ２０としては、フィルタベント容器１の使用温度条件において、蒸気として流入する水よりも比重が小さい液体がより好ましい。
【００５５】
分解用液体Ｌ２０の具体例としては、トリヘキシル（テトラデシル）ホスホニウムクロリドや、トリヘキシル（テトラデシル）ホスホニウムジシアナミド等が挙げられる。
【００５６】
図２に示す原子炉格納容器２において、ベントが必要であると判断されると、フィルタベント装置１００と同様、隔離弁５，６が開放される。そして、放射性物質を含む蒸気は、フィルタベント容器１内に噴出し、下層側の溶解用液体Ｌ１１に導入される。
【００５７】
フィルタベント容器１では、蒸気に含まれる放射性物質のうち、疎水性のエアロゾルは、疎水性の溶解用液体Ｌ１１に沈殿して捕集される。また、無機よう素、有機よう素は、疎水性の溶解用液体Ｌ１１に溶解して捕集される。そして、溶解した有機よう素は、分解用液体Ｌ２０に接触すると、よう素イオンと有機物とに分解される。解離したよう素イオンは、溶解用液体Ｌ１１等に溶解して捕集される。捕集されず気相に放出されたエアロゾルは、金属フィルタ８に捕集される。その後、放射性物質が除去されたガスが、排気筒１０を通じて環境中に放出される。
【００５８】
以上のフィルタベント装置２００によると、疎水性の溶解用液体Ｌ１１で、エアロゾルの一部を沈殿させて捕集し、無機よう素、有機よう素を溶解させて捕集することができる。そして、微粒子や異分子等から遊離した有機よう素を、分解用液体Ｌ２０と良好な反応率で反応させることができる。有機よう素が揮発性であるのに対し、よう素イオンは有極性の液相中で安定であるところ、多層液体（Ｌ１１，Ｌ２０）の最上層が分解用液体Ｌ２０であり、最上層の分解用液体Ｌ２０が効率的に有機よう素をイオン化するため、有機よう素の揮発を阻止しながら、よう素イオンのかたちで確実に捕集することができる。また、捕集を行うにあたって、一般的なフィルタベント容器を利用することが可能であり、大容量の捕集材・乾式フィルタや、特別な装置設計・装置構造を必要としない。したがって、有機よう素を簡易な構造で効率的に捕集することができる。
【００５９】
また、以上のフィルタベント装置２００においては、溶解用液体Ｌ１１や分解用液体Ｌ２０として、アニオンが非放射性のよう素イオンであるイオン液体を用いることで、フィルタベント装置１００と同様に、放射性物質の漏洩を更に抑制することができる。
【００６０】
図３は、本発明に係る有機よう素捕集装置の一例を模式的に示す断面図である。
図３には、有機よう素捕集装置を原子炉施設のフィルタベント装置に適用し、原子炉から放出された蒸気（流体）に含まれる有機よう素をフィルタベント容器に捕集する例を示す。
【００６１】
図３に示すように、本実施形態に係るフィルタベント装置（有機よう素捕集装置）３００は、フィルタベント容器１と、入口配管７と、金属フィルタ８と、出口配管９と、排気筒１０と、を備えている。フィルタベント装置３００の構成は、フィルタベント容器１に保持される液体の種類を除いて、フィルタベント装置１００と同様である。
【００６２】
図３に示すフィルタベント容器１の容器内には、二種類の溶解用液体（第１液体）Ｌ１０，Ｌ１１と、疎水性の分解用液体（第２液体）Ｌ２０と、が保持されている。溶解用液体Ｌ１０，Ｌ１１は、親水性の溶解用液体Ｌ１０と疎水性の溶解用液体Ｌ１１との組み合わせで構成されている。このように、溶解用液体は、互いに相分離する複数の液体の組み合わせで構成することが可能である。
【００６３】
溶解用液体Ｌ１０，Ｌ１１と分解用液体Ｌ２０とは、互いに混じらずに、フィルタベント容器１内に多層液体（Ｌ１１，Ｌ１０，Ｌ２０）を形成している。疎水性の溶解用液体Ｌ１１は、下層を形成し、親水性の溶解用液体Ｌ１０は、中間層を形成し、疎水性の分解用液体Ｌ２０は、上層を形成している。多層液体（Ｌ１１，Ｌ１０，Ｌ２０）は、液体同士の相分離により形成される最上層が分解用液体Ｌ２０である。
【００６４】
溶解用液体Ｌ１０としては、溶解用液体Ｌ１１よりも比重が小さく、分解用液体Ｌ２０よりも比重が大きい液体であって、親水性物質からなる液体、又は、親水性物質を水に溶解させた水溶液を用いることができる。液体の親水性物質としては、親水性（易水溶性）であり、常温・常圧下において液体であるイオン液体、界面活性剤溶液等を用いることができる。液体の親水性物質は、脱塩水、スクラビング水等に溶解させて用いてもよい。
【００６５】
水に溶解させる親水性物質としては、親水性（易水溶性）であり、常温・常圧下において固体であるイオン液体、界面活性剤等を用いることができる。親水性物質を溶解させる水としては、脱塩水、スクラビング水等が挙げられる。
【００６６】
溶解用液体Ｌ１０の具体例としては、常温・常圧下において液体である１−ブチル−３−メチルイミダゾリウムヨージドや、常温・常圧下において液体である１−ブチル−３−メチルイミダゾリウムテトラフルオロほう酸塩や、常温・常圧下において固体（融点：約４０℃）である１−ドデシル−３−メチルイミダゾリウムヨージド等が挙げられる。
【００６７】
溶解用液体Ｌ１１としては、溶解用液体Ｌ１０や分解用液体Ｌ２０よりも比重が大きい液体であって、疎水性物質からなる液体を用いることができる。疎水性物質としては、疎水性（難水溶性）であり、常温・常圧下において液体であるイオン液体、界面活性剤溶液等を用いることができるが、イオン液体が特に好ましい。
【００６８】
溶解用液体Ｌ１１の具体例としては、１−ブチル−３−メチルイミダゾリウムビス（トリフルオロメチルスルホニル）イミド、１−メチル−１−プロピルピロリジニウムビス（トリフルオロメチルスルホニル）イミド等が挙げられる。
【００６９】
分解用液体Ｌ２０としては、溶解用液体Ｌ１１や分解用液体Ｌ２０よりも比重が小さい液体であって、疎水性物質からなる液体を用いることができる。疎水性物質としては、有機よう素を分解する作用を有し、疎水性（難水溶性）であり、常温・常圧下において液体であるイオン液体、界面活性剤溶液等を用いることができる。疎水性物質としては、特に、イオン液体が好ましい。
【００７０】
分解用液体Ｌ２０の具体例としては、トリヘキシル（テトラデシル）ホスホニウムクロリドや、トリヘキシル（テトラデシル）ホスホニウムジシアナミド等が挙げられる。
【００７１】
図３に示す原子炉格納容器２において、ベントが必要であると判断されると、フィルタベント装置１００と同様、隔離弁５，６が開放される。そして、放射性物質を含む蒸気は、フィルタベント容器１内に噴出し、下層側の溶解用液体Ｌ１１に導入される。
【００７２】
フィルタベント容器１では、蒸気に含まれる放射性物質のうち、疎水性のエアロゾルは、疎水性の溶解用液体Ｌ１１に沈殿して捕集される。また、親水性のエアロゾルは、親水性の溶解用液体Ｌ１０に溶解して捕集される。また、無機よう素、有機よう素は、疎水性の溶解用液体Ｌ１１や親水性の溶解用液体Ｌ１０に溶解して捕集される。そして、溶解した有機よう素は、分解用液体Ｌ２０に接触すると、よう素イオンと有機物とに分解される。解離したよう素イオンは、溶解用液体Ｌ１０，Ｌ１１等に溶解して捕集される。捕集されず気相に放出されたエアロゾルは、金属フィルタ８に捕集される。その後、放射性物質が除去されたガスが、排気筒１０を通じて環境中に放出される。
【００７３】
以上のフィルタベント装置３００によると、疎水性の溶解用液体Ｌ１１で、エアロゾルの一部を沈殿させて捕集し、無機よう素、有機よう素を溶解させて捕集することができる。また、親水性の溶解用液体Ｌ１０で、親水性のエアロゾル、無機よう素、有機よう素を溶解させて捕集することができる。そして、微粒子や異分子等から遊離した有機よう素を、分解用液体Ｌ２０と良好な反応率で反応させることができる。有機よう素が揮発性であるのに対し、よう素イオンは有極性の液相中で安定であるところ、多層液体（Ｌ１１，Ｌ１０，Ｌ２０）の最上層が分解用液体Ｌ２０であり、最上層の分解用液体Ｌ２０が効率的に有機よう素をイオン化するため、有機よう素の揮発を阻止しながら、よう素イオンのかたちで確実に捕集することができる。また、捕集を行うにあたって、一般的なフィルタベント容器を利用することが可能であり、大容量の捕集材・乾式フィルタや、特別な装置設計・装置構造を必要としない。したがって、有機よう素を簡易な構造で効率的に捕集することができる。
【００７４】
また、以上のフィルタベント装置３００によると、親水性の溶解用液体Ｌ１０と疎水性の溶解用液体Ｌ１１や疎水性の分解用液体Ｌ２０とが併用されるため、親水性の溶解用液体Ｌ１０で、親水性であることが多いエアロゾルの大半を溶解して捕集し、疎水性の溶解用液体Ｌ１１や疎水性の分解用液体Ｌ２０で、疎水性のエアロゾルを凝集させて捕集することができる。また、親水性の溶解用液体Ｌ１０を使用するため、原子炉冷却水の水蒸気に含まれる放射性物質を容易に捕捉することができる。
【００７５】
また、以上のフィルタベント装置３００においては、溶解用液体Ｌ１０，Ｌ１１や分解用液体Ｌ２０として、アニオンが非放射性のよう素イオンであるイオン液体を用いることで、フィルタベント装置１００と同様に、放射性物質の漏洩を更に抑制することができる。
【００７６】
図４は、本発明に係る有機よう素捕集装置の一例を模式的に示す断面図である。
図４には、有機よう素捕集装置を原子炉施設のフィルタベント装置に適用し、原子炉から放出された蒸気（流体）に含まれる有機よう素をフィルタベント容器に捕集する例を示す。
【００７７】
図４に示すように、本実施形態に係るフィルタベント装置（有機よう素捕集装置）４００は、フィルタベント容器１と、入口配管７と、金属フィルタ８と、出口配管９と、排気筒１０と、を備えている。フィルタベント装置４００の構成は、フィルタベント容器１に保持される液体の種類を除いて、フィルタベント装置１００と同様である。
【００７８】
図４に示すフィルタベント容器１の容器内には、親水性の溶解用液体（第１液体）Ｌ１０と、二種類の分解用液体（第２液体）Ｌ２０，Ｌ２１と、が保持されている。分解用液体Ｌ２０，Ｌ２１は、互いに比重が異なる液体の組み合わせで構成されており、溶解用液体Ｌ１０よりも比重が小さい疎水性の分解用液体Ｌ２０と溶解用液体Ｌ１０よりも比重が大きい疎水性の分解用液体Ｌ２１との組み合わせで構成されている。このように、分解用液体は、互いに相分離する複数の液体の組み合わせで構成することが可能である。
【００７９】
溶解用液体Ｌ１０と分解用液体Ｌ２０，Ｌ２１とは、互いに混じらずに、フィルタベント容器１内に多層液体（Ｌ２１，Ｌ１０，Ｌ２０）を形成している。疎水性の分解用液体Ｌ２１は、下層を形成し、親水性の溶解用液体Ｌ１０は、中間層を形成し、疎水性の分解用液体Ｌ２０は、上層を形成している。多層液体（Ｌ２１，Ｌ１０，Ｌ２０）は、液体同士の相分離により形成される最上層が分解用液体Ｌ２０である。
【００８０】
溶解用液体Ｌ１０としては、分解用液体Ｌ２１よりも比重が小さく、分解用液体Ｌ２０よりも比重が大きい液体であって、親水性物質からなる液体、又は、親水性物質を水に溶解させた水溶液を用いることができる。液体の親水性物質としては、親水性（易水溶性）であり、常温・常圧下において液体であるイオン液体、界面活性剤溶液等を用いることができる。液体の親水性物質は、脱塩水、スクラビング水等に溶解させて用いてもよい。
【００８１】
水に溶解させる親水性物質としては、親水性（易水溶性）であり、常温・常圧下において固体であるイオン液体、界面活性剤等を用いることができる。親水性物質を溶解させる水としては、脱塩水、スクラビング水等が挙げられる。
【００８２】
溶解用液体Ｌ１０の具体例としては、常温・常圧下において液体である１−ブチル−３−メチルイミダゾリウムヨージドや、常温・常圧下において液体である１−ブチル−３−メチルイミダゾリウムテトラフルオロほう酸塩や、常温・常圧下において固体（融点：約４０℃）である１−ドデシル−３−メチルイミダゾリウムヨージド等が挙げられる。
【００８３】
分解用液体Ｌ２０としては、分解用液体Ｌ２１や溶解用液体Ｌ１０よりも比重が小さい液体であって、疎水性物質からなる液体を用いることができる。疎水性物質としては、有機よう素を分解する作用を有し、疎水性（難水溶性）であり、常温・常圧下において液体であるイオン液体、界面活性剤溶液等を用いることができる。疎水性物質としては、特に、イオン液体が好ましい。
【００８４】
分解用液体Ｌ２０の具体例としては、トリヘキシル（テトラデシル）ホスホニウムクロリドや、トリヘキシル（テトラデシル）ホスホニウムジシアナミド等が挙げられる。
【００８５】
分解用液体Ｌ２１としては、溶解用液体Ｌ１０や分解用液体Ｌ２０よりも比重が大きい液体であって、疎水性物質からなる液体を用いることができる。疎水性物質としては、有機よう素を分解する作用を有し、疎水性（難水溶性）であり、常温・常圧下において液体であるイオン液体、界面活性剤溶液等を用いることができる。疎水性物質としては、特に、イオン液体が好ましい。
【００８６】
分解用液体Ｌ２１の具体例としては、１−ブチル−１−メチルピロリジニウムビス（トリフルオロメチルスルホニル）イミド等が挙げられる。
【００８７】
図４に示す原子炉格納容器２において、ベントが必要であると判断されると、フィルタベント装置１００と同様、隔離弁５，６が開放される。そして、放射性物質を含む蒸気は、フィルタベント容器１内に噴出し、下層側の分解用液体Ｌ２１に導入される。
【００８８】
フィルタベント容器１では、蒸気に含まれる放射性物質のうち、疎水性のエアロゾルは、疎水性の分解用液体Ｌ２１に沈殿して捕集される。また、親水性のエアロゾルは、親水性の溶解用液体Ｌ１０に溶解して捕集される。また、無機よう素、有機よう素は、疎水性の分解用液体Ｌ２１や親水性の溶解用液体Ｌ１０に溶解して捕集される。そして、溶解した有機よう素は、分解用液体Ｌ２０，Ｌ２１に接触すると、よう素イオンと有機物とに分解される。解離したよう素イオンは、溶解用液体Ｌ１０等に溶解して捕集される。捕集されず気相に放出されたエアロゾルは、金属フィルタ８に捕集される。その後、放射性物質が除去されたガスが、排気筒１０を通じて環境中に放出される。
【００８９】
以上のフィルタベント装置４００によると、疎水性の分解用液体Ｌ２１で、エアロゾルの一部を沈殿させて捕集し、無機よう素、有機よう素を溶解させて捕集することができる。また、親水性の溶解用液体Ｌ１０で、親水性のエアロゾル、無機よう素、有機よう素を溶解させて捕集することができる。そして、微粒子や異分子等から遊離した有機よう素を、分解用液体Ｌ２０，Ｌ２１と良好な反応率で反応させることができる。有機よう素が揮発性であるのに対し、よう素イオンは有極性の液相中で安定であるところ、多層液体（Ｌ２１，Ｌ１０，Ｌ２０）の最上層が分解用液体Ｌ２０であり、最上層の分解用液体Ｌ２０が効率的に有機よう素をイオン化するため、有機よう素の揮発を阻止しながら、よう素イオンのかたちで確実に捕集することができる。また、捕集を行うにあたって、一般的なフィルタベント容器を利用することが可能であり、大容量の捕集材・乾式フィルタや、特別な装置設計・装置構造を必要としない。したがって、有機よう素を簡易な構造で効率的に捕集することができる。
【００９０】
また、以上のフィルタベント装置４００によると、親水性の溶解用液体Ｌ１０と疎水性の分解用液体Ｌ２０，Ｌ２１とが併用されるため、親水性の溶解用液体Ｌ１０で、親水性であることが多いエアロゾルの大半を溶解して捕集し、疎水性の分解用液体Ｌ２０，Ｌ２１で、疎水性のエアロゾルを凝集させて捕集することができる。また、親水性の溶解用液体Ｌ１０を使用するため、原子炉冷却水の水蒸気に含まれる放射性物質を容易に捕捉することができる。
【００９１】
また、以上のフィルタベント装置４００においては、溶解用液体Ｌ１０や分解用液体Ｌ２０，Ｌ２１として、アニオンが非放射性のよう素イオンであるイオン液体を用いることで、フィルタベント装置１００と同様に、放射性物質の漏洩を更に抑制することができる。
【００９２】
図５は、本発明に係る有機よう素捕集装置の一例を模式的に示す断面図である。
図５には、有機よう素捕集装置を原子炉施設のフィルタベント装置に適用し、原子炉から放出された蒸気（流体）に含まれる有機よう素をフィルタベント容器に捕集する例を示す。
【００９３】
図５に示すように、本実施形態に係るフィルタベント装置（有機よう素捕集装置）５００は、フィルタベント容器１と、入口配管７と、金属フィルタ８と、出口配管９と、排気筒１０と、保管容器１１，２１と、注入管１２，２２と、自動開閉弁１３，２３と、を備えている。フィルタベント装置５００は、ドライウェルベント配管３、ウェットウェルベント配管４と入口配管７を介して、原子炉格納容器２と管路で接続されている。
【００９４】
保管容器１１，２１は、溶解用液体や分解用液体をベント時まで保管する目的で備えられる。保管容器１１，２１としては、液体毎に複数の容器が備えられている。フィルタベント装置５００では、容器内に注入されて保持される二種類の液体毎に、第１保管容器１１と第２保管容器２１の二個が備えられている。
【００９５】
注入管１２，２２は、一端が、保管容器１１，２１に接続しており、他端が、フィルタベント容器１に接続している。注入管１２，２２としては、保管容器毎に複数の配管が設けられている。
【００９６】
第１注入管１２は、第１保管容器１１内とフィルタベント容器１内とを連通しており、フィルタベント容器１内の底部側に開口している。第１注入管１２の中間部には、常閉型の第１自動開閉弁１３が備えられている。また、第２注入管２２は、第２保管容器２１内とフィルタベント容器１内とを連通しており、フィルタベント容器１内の第１注入管１２の開口よりも高い位置に開口している。第２注入管２２の中間部には、常閉型の第２自動開閉弁２３が備えられている。
【００９７】
フィルタベント装置５００を使用するとき、第１保管容器１１には、例えば、比重が大きい親水性の溶解用液体Ｌ１０、又は、比重が大きい疎水性の溶解用液体Ｌ１１を用意する。また、第２保管容器２１には、例えば、比重が小さい疎水性の分解用液体Ｌ２０を用意する。フィルタベント容器１は、空の状態としておく。第１保管容器１１には、親水性の溶解用液体Ｌ１０として、液体の親水性物質を用意してもよいし、固体の親水性物質を溶解させた水溶液を用意してもよい。
【００９８】
フィルタベント装置５００では、ベントを実施するとき、隔離弁５，６の開放の直前に、自動開閉弁１３，２３を開放する。第１自動開閉弁１３と第２自動開閉弁２３の開放の先後は、特に制限されるものではないが、開放の時期をずらし、第１自動開閉弁１３、第２自動開閉弁２３の順に開放することが好ましい。フィルタベント容器１内に液体の比重順に注液すると、液体同士の相分離が早期に完了して捕集に適した状態になる。そのため、適切なフィルタベントを迅速に開始することができる。
【００９９】
第１自動開閉弁１３や第２自動開閉弁２３が開放されると、第１保管容器１１に用意された溶解用液体Ｌ１０，Ｌ１１や、第２保管容器２１に用意された分解用液体Ｌ２０は、それぞれ、フィルタベント容器１内に注入される。注液には、例えば、水頭圧や窒素ガス等のガス圧を利用することができる。
【０１００】
図５に示すフィルタベント容器１は、容器内に保持される液体が、図１に示した多層液体（Ｌ１０，Ｌ２０）、又は、図２に示した多層液体（Ｌ１１，Ｌ２０）となる。隔離弁５，６が開放されると、放射性物質を含む蒸気は、フィルタベント容器１内に噴出し、下層側の溶解用液体Ｌ１０，Ｌ１１に導入される。そして、蒸気に含まれる有機よう素等が容器内に捕集される。
【０１０１】
以上のフィルタベント装置５００によると、溶解用液体Ｌ１０，Ｌ１１や分解用液体Ｌ２０が、フィルタベント容器１とは異なる保管容器に用意されるため、ベントを実施する直前まで、溶解用液体Ｌ１０，Ｌ１１や分解用液体Ｌ２０を適切に保管することができる。イオン液体等を大気や水分から遮断して保管すると、ベントを実施するまで、加水分解等による劣化が抑制されるため、液体の品質の保持に必要な検査・管理を削減することができる。
【０１０２】
図６は、本発明に係る有機よう素捕集装置の一例を模式的に示す断面図である。
図６には、有機よう素捕集装置を原子炉施設のフィルタベント装置に適用し、原子炉から放出された蒸気（流体）に含まれる有機よう素をフィルタベント容器に捕集する例を示す。
【０１０３】
図６に示すように、本実施形態に係るフィルタベント装置（有機よう素捕集装置）６００は、フィルタベント容器１と、入口配管７と、金属フィルタ８と、出口配管９と、排気筒１０と、保管容器１１，２１，３１と、注入管１２，２２，３２と、自動開閉弁１３，２３，３３と、を備えている。フィルタベント装置６００は、ドライウェルベント配管３、ウェットウェルベント配管４と入口配管７を介して、原子炉格納容器２と管路で接続されている。
【０１０４】
フィルタベント装置６００の構成は、容器内に注入されて保持される三種類の液体毎に、保管容器、注入管及び自動開閉弁からなる系統が、３個備えられている点を除いて、フィルタベント装置５００と同様である。フィルタベント装置６００には、第３保管容器３１と、第３注入管３２と、第３自動開閉弁３３と、からなる系統が追加されている。第３注入管３２は、第３保管容器３１内とフィルタベント容器１内とを連通しており、フィルタベント容器１内の第２注入管２２の開口よりも高い位置に開口している。
【０１０５】
フィルタベント装置６００を使用するとき、第１保管容器１１には、例えば、比重が大きい疎水性の溶解用液体Ｌ１１、又は、比重が大きい疎水性の分解用液体Ｌ２１を用意する。また、第２保管容器２１には、例えば、比重がより小さい親水性の溶解用液体Ｌ１０を用意する。また、第３保管容器３１には、例えば、比重が更に小さい疎水性の分解用液体Ｌ２０を用意する。フィルタベント容器１は、空の状態としておく。第２保管容器２１には、親水性の溶解用液体Ｌ１０として、液体の親水性物質を用意してもよいし、固体の親水性物質を溶解させた水溶液を用意してもよい。
【０１０６】
フィルタベント装置６００では、ベントを実施するとき、隔離弁５，６の開放の直前に、自動開閉弁１３，２３，３３を開放する。第１自動開閉弁１３と第２自動開閉弁２３と第３自動開閉弁３３の開放の先後は、特に制限されるものではないが、開放の時期をずらし、第１自動開閉弁１３、第２自動開閉弁２３、第３自動開閉弁３３の順に開放することが好ましい。フィルタベント容器１内に液体の比重順に注液すると、液体同士の相分離が早期に完了して捕集に適した状態になる。そのため、適切なフィルタベントを迅速に開始することができる。
【０１０７】
第１自動開閉弁１３や第２自動開閉弁２３や第３自動開閉弁３３が開放されると、第１保管容器１１に用意された溶解用液体Ｌ１１又は分解用液体Ｌ２１や、第２保管容器２１に用意された溶解用液体Ｌ１０や、第３保管容器３１に用意された分解用液体Ｌ２０は、それぞれ、フィルタベント容器１内に注入される。注液には、例えば、水頭圧や窒素ガス等のガス圧を利用することができる。
【０１０８】
図６に示すフィルタベント容器１は、容器内に保持される液体が、図３に示した多層液体（Ｌ１１，Ｌ１０，Ｌ２０）、又は、図４に示した多層液体（Ｌ２１，Ｌ１０，Ｌ２０）となる。隔離弁５，６が開放されると、放射性物質を含む蒸気は、フィルタベント容器１内に噴出し、下層側の溶解用液体Ｌ１１や分解用液体Ｌ２１に導入される。そして、蒸気に含まれる有機よう素等が容器内に捕集される。
【０１０９】
以上のフィルタベント装置６００によると、溶解用液体Ｌ１０，Ｌ１１や分解用液体Ｌ２０，Ｌ２１が、フィルタベント容器１とは異なる保管容器に用意されるため、ベントを実施する直前まで、溶解用液体Ｌ１０，Ｌ１１や分解用液体Ｌ２０，Ｌ２１を適切に保管することができる。イオン液体等を大気や水分から遮断して保管すると、ベントを実施するまで、加水分解等による劣化が抑制されるため、液体の品質の保持に必要な検査・管理を削減することができる。
【０１１０】
図７は、本発明に係る有機よう素捕集装置の一例を模式的に示す断面図である。
図７には、有機よう素捕集装置を原子炉格納容器内に適用し、原子炉から放出された蒸気（流体）に含まれる有機よう素をウェットウェルに捕集する例を示す。
【０１１１】
図７に示すように、本実施形態に係るフィルタベント装置（有機よう素捕集装置）７００は、原子炉格納容器２のウェットウェル２２が、有機よう素を捕集する容器として機能するように構成されている。
【０１１２】
ウェットウェル２２は、原子炉圧力容器が収納されたドライウェル２１と不図示のベント管を介して連通している。また、ウェットウェル２２には、主蒸気系から分岐した不図示のベント管が、逃がし弁を介して接続される。ドライウェル２１及びウェットウェル２２は、管路を介してフィルタベント容器１と接続されている。
【０１１３】
図７に示すウェットウェル２２には、溶解用液体（第１液体）Ｌ１０と、分解用液体（第２液体）Ｌ２０と、が保持されている。ウェットウェル２２は、ドライウェル２１中の蒸気や、主蒸気系から過圧で逃された蒸気が、不図示のベント管を介して流入し、フィルタベント容器１に向けて通されるようになっている。一方、フィルタベント容器１の容器内には、例えば、スクラビング水Ｌ３０が保持される。
【０１１４】
ウェットウェル２２に保持する溶解用液体Ｌ１０としては、例えば、親水性（易水溶性）であり、常温・常圧下において固体である親水性物質をプール水に溶解させた水溶液を用いることができる。また、ウェットウェル２２に保持する分解用液体Ｌ２０としては、例えば、疎水性（難水溶性）であり、常温・常圧下において液体である疎水性物質からなる液体を用いることができる。
【０１１５】
フィルタベント装置７００では、ドライウェル２１に放出された放射性物質や高温・高圧の蒸気、或いは、主蒸気系から過圧で逃された放射性物質や高温・高圧の蒸気が、ベントを実施するか否かにかかわらず、ウェットウェル２２に流入する。
【０１１６】
例えば、放射性物質を含む蒸気は、ドライウェル２１に放出されると、フロアを貫通して圧力抑制プールに連通している不図示の水平ベント管を介して、下層側の溶解用液体Ｌ１０に導入される。また、放射性物質を含む蒸気は、主蒸気系から過圧で逃されると、先端が圧力抑制プールに水没している不図示のベント管を介して、下層側の溶解用液体Ｌ１０に導入される。
【０１１７】
ウェットウェル２２では、蒸気に含まれる有機よう素等が、溶解用液体Ｌ１０と分解用液体Ｌ２０とによって、ウェットウェル２２の圧力抑制プールに溶解して捕集される。捕集されず気相に放出されたエアロゾル、元素状よう素等は、ウェットウェルベント配管４と入口配管１０を通じてフィルタベント容器１に流入し、スクラビング水Ｌ３０や金属フィルタ８によって捕集される。
【０１１８】
以上のフィルタベント装置７００によると、ウェットウェル２２に保持される溶解用液体Ｌ１０と分解用液体Ｌ２０とによって、ベントを実施するか否かにかかわらず、格納容器バウンダリ内で有機よう素等を捕集することができる。揮発性の有機よう素は、排気過程の初期で分解されることになり、分解によって解離した有機物も捕集されるため、有機系の放射性物質の漏洩を低減することができる。液相に捕集したよう素イオンについては、元素状よう素を生成して再揮発したとしても、フィルタベント容器１で再捕集することができる。また、フィルタベント容器１を、イオン液体等ではなく、通常のスクラビング水を使用して、通常の条件で運転することができる。
【０１１９】
以上、本発明に係る有機よう素捕集装置の実施形態について説明したが、本発明は前記の実施形態に限定されるものではなく、技術的範囲を逸脱しない限り、様々な変形例が含まれる。例えば、前記の実施形態は、必ずしも説明した全ての構成を備えるものに限定されない。また、或る実施形態の構成の一部を他の構成に置き換えたり、或る実施形態の構成に他の構成を加えたりすることが可能である。また、或る実施形態の構成の一部について、他の構成の追加、構成の削除、構成の置換をすることも可能である。
【０１２０】
例えば、前記のフィルタベント装置１００，２００，３００，４００の構成と前記のフィルタベント装置７００の構成とを組み合わせて、ウェットウェル２２とフィルタベント容器１の両方で捕集を行ってもよい。また、前記のフィルタベント装置５００，６００の構成と前記のフィルタベント装置７００の構成とを組み合わせて、別途保管している液体を必要時にウェットウェル２２に注液してもよい。保管容器は、全部の液体のために設置してもよいし、一部の液体のために設置してもよい。
【０１２１】
また、前記のフィルタベント装置３００，４００において、親水性の溶解用液体Ｌ１０に代えて、スクラビング水を使用してもよい。また、前記のフィルタベント装置６００において、フィルタベント容器１の容器内に、水、又は、スクラビング水を、予め注入しておいてもよい。また、前記のフィルタベント装置７００において、フィルタベント容器１の容器内に、スクラビング水Ｌ３０と共に、又は、スクラビング水Ｌ３０に代えて、溶解用液体Ｌ１０及び分解用液体Ｌ２０のうち、一種以上を保持させてもよい。
【０１２２】
また、前記の実施形態において、有機よう素を溶解する作用がある溶解用液体と、有機よう素を分解する作用がある分解用液体との、少なくとも二種類の液体を用いる限り、液体の種類や数、液体の親水性／疎水性、液体の密度（液体の積層順）等は、特に制限されるものではなく、適宜の液体を組み合わせて用いることができる。例えば、溶解用液体や分解用液体として、３種類以上の液体を用いてもよいし、最上層に溶解用液体が配置されてもよい。
【０１２３】
また、前記の実施形態において、原子炉の形式は、特に制限されるものではない。原子炉としては、沸騰水型原子炉（Boiling Water Reactor：ＢＷＲ）、改良型沸騰水型原子炉（Advanced Boiling Water Reactor：ＡＢＷＲ）、加圧水型原子炉（Pressurized Water Reactor：ＰＷＲ）等の各種の形式に適用することができる。放射性物質で汚染されたイオン液体等は、例えば、特表２００３−５０７１８５号に記載された方法等で処理・再生することができる。
【０１２４】
また、本発明に係る有機よう素捕集装置は、フィルタベント装置や、ウェットウェルの他に、原子炉施設に備えられる他のオフガス装置、未使用核燃料や使用済み核燃料等を含む核燃料物質の保管容器や輸送容器、取り替え又は解体された炉内構造物の保管容器や輸送容器等に適用することもできる。
【符号の説明】
【０１２５】
１      フィルタベント容器
２      原子炉格納容器
２１    ドライウェル
２２    ウェットウェル
３      ドライウェルベント配管
４      ウェットウェルベント配管
５      隔離弁
６      隔離弁
７      入口配管
８      金属フィルタ
９      出口配管
１０    排気筒
１００  有機よう素捕集装置
Ｌ１０  溶解用液体（第１液体）
Ｌ２０  分解用液体（第２液体）
【図１】
2020008517.tif 000003
【図２】
2020008517.tif 000004
【図３】
2020008517.tif 000005
【図４】
2020008517.tif 000006
【図５】
2020008517.tif 000007
【図６】
2020008517.tif 000008
【図７】
2020008517.tif 000009